(57)【特許請求の範囲】
【請求項１】
ユーザのＩＤを示すＩＤデータを送信するための無線通信手段と、前記ＩＤデータの送信を有効とする送信有効時間帯を設定する送信有効時間帯設定手段と、前記送信有効時間帯にのみ前記無線通信手段を介して前記ＩＤデータを自動的に送信するように制御を行う認証用ID送出制御手段と、前記送信有効時間帯以外の時間帯に前記無線通信手段を介して前記IDデータを送信するための操作を行う操作手段と、を有するＩＤ送信装置であって、
前記無線通信手段は、該無線通信手段を介して送信された前記IDデータに対する認証結果を示すデータを受信し、
前記送信有効時間帯設定手段は、前記操作手段の操作に基づいて送信された前記IDデータに対する認証結果を示すデータを前記無線通信手段が受信した時刻から一定の時間帯、または、前記操作手段の操作に基づいて送信された前記IDデータに対する認証結果を示すデータを前記無線通信手段が受信した時刻の前後の一定時間帯を前記送信有効時間帯として設定することを特徴とするＩＤ送信装置。
【請求項２】
前記送信有効時間帯設定手段は、前記送信有効時間帯に送信された前記IDデータに対する認証の結果を前記無線通信手段が一定期間受信しなかった場合には、前記送信有効時間帯を解除することを特徴とする請求項１に記載のＩＤ送信装置。
【発明の詳細な説明】
【０００１】
【発明の属する技術分野】
本発明は、ＩＤ送信装置およびＩＤ送信装置を備えた認証システムに関する。
【０００２】
【従来の技術】
従来、セキュリティのため、ＩＤカード等を用いて、建物等の入退室を管理することが行われている。一例をあげると、ＩＤ無線通信機能付きＩＤカードに記録されたＩＤデータをあらかじめ認証装置に登録し、ＩＤカード保持者が、ドアに近づくと、ドアに接続されたＩＤ受信装置が、ＩＤデータを受信し、受信したＩＤデータはＩＤ認証装置によって登録ＩＤデータと比較され、合致していると認証されたときは、ドアを開くことができ、入退室できる。また、人がドアに接触することで通信が行われる技術を利用するものもある。これらのＩＤ管理システムによって、建物への入退室管理セキュリティの目的は達成することができる。
【０００３】
【発明が解決しようとする課題】
しかしながら、ＩＤ送信装置から定常的にＩＤデータを送信を続ける方法では、ＩＤ送信装置の電力消費が大きくなってしまい、その結果、ＩＤ送信装置の電池寿命が短くなってしまうため、携帯型のＩＤ送信装置では、使用できる時間が短くなってしまうという課題がある。
【０００４】
本発明の目的は、上述の欠点を解消する、ＩＤ送信装置およびＩＤ送信装置を備えた認証システムを提供することである。
【０００５】
【課題を解決するための手段】
上記目的を達成するため、本発明に係るＩＤ送信装置は、ユーザのＩＤを示すＩＤデータを送信するための無線通信手段と、前記ＩＤデータの送信を有効とする送信有効時間帯を設定する送信有効時間帯設定手段と、前記送信有効時間帯にのみ前記無線通信手段を介して前記ＩＤデータを自動的に送信するように制御を行う認証用ID送出制御手段と、前記送信有効時間帯以外の時間帯に前記無線通信手段を介して前記IDデータを送信するための操作を行う操作手段と、を有するＩＤ送信装置であって、前記無線通信手段は、該無線通信手段を介して送信された前記IDデータに対する認証結果を示すデータを受信し、前記送
信有効時間帯設定手段は、前記操作手段の操作に基づいて送信された前記IDデータに対する認証結果を示すデータを前記無線通信手段が受信した時刻から一定の時間帯、または、前記操作手段の操作に基づいて送信された前記IDデータに対する認証結果を示すデータを前記無線通信手段が受信した時刻の前後の一定時間帯を前記送信有効時間帯として設定することを特徴とする。
また、本発明に係るＩＤ送信装置は、前記送信有効時間帯設定手段は、前記送信有効時間帯に送信された前記IDデータに対する認証の結果を前記無線通信手段が一定期間受信しなかった場合には、前記送信有効時間帯を解除することを特徴とする。
【０００６】
また、本発明に係るＩＤ送信装置は、ＩＤデータの送信を有効とする時間帯でも、ただちにＩＤデータの送信を開始するための手段を有することが好ましい。
【０００７】
また、本発明に係るＩＤ送信装置は、ＩＤデータの送信を有効とする時間帯を送信無効の時間帯に設定する機能を有することが好ましい。
【０００８】
また、本発明に係るＩＤ送信装置は無線通信機能を有する腕時計であることが好ましい。
【０００９】
【発明の実施の形態】
以下、本発明の実施の形態を図面に基づいて詳述する。図１は、認証システムの構成を示す図である。図１において、ＩＤ認証装置１２では、ネットワーク１に、ＩＤデータを認証する認証サーバ２、認証用ＩＤデータを受信する受信装置４、がケーブルで接続されている。受信装置４は、建物５の複数個のゲート６にそれぞれ対応して複数個設けることができる。認証サーバ２、受信装置４、ゲート６は一体化して建物５に設置することもできる。受信装置４は、認証用ＩＤデータを送信する送信装置３と無線で結ばれる。
【００１０】
送信装置３は、その内部に、ＩＤデータ９を保持する。また無線通信機能を有し、アンテナ８を有する。また、送信を開始するためのボタン１０を有する。受信装置４もアンテナ７を有し、これらのアンテナ７，８を介して、送信装置３は、受信装置４と無線でＩＤデータを無線通信する。認証サーバ２は、登録ＩＤデータベース１１を備える。登録ＩＤデータベース１１には、送信装置３が保持するＩＤデータと一致するＩＤデータが登録されている。
【００１１】
図１において、ユーザが送信装置３を持って、建物５の入退室したいゲート６に行き、受信装置４に対し認証用ＩＤデータを無線で送信する。送信装置３から送信される電波の到達距離は、送信装置３の電源容量から制限され、数メートルである。この際、送信装置３には、送信有効時間帯が設定されており、送信有効時間帯でないときには送信装置３は送信作業を行わない。送信有効時間帯であるときには、送信装置３は送信作業を行う。また、送信有効時間帯でない場合に、送信開始ボタン１０を押すことにより、送信装置３は、送信作業を行う。受信装置４により受信された認証用ＩＤデータは、ネットワーク１を介して、認証サーバ２に送信され、認証サーバ２は登録ＩＤデータベース１１を検索し、該当する登録ＩＤデータと比較し認証する。その結果は、ネットワーク１を介して再び先ほどの受信装置４に返信され、受信装置４は、認証の結果が「一致」のときにゲート６を開放可能としてその旨を送信装置３に通知し、「不一致」のときはその旨を送信装置３に通知する。
【００１２】
認証用ＩＤデータの送信有効時間帯でないときに、送信開始ボタン１０を押すことにより、送信装置３が認証用ＩＤデータの送信作業を開始した場合には、一定時間だけ送信を継続し、その間に受信装置４から認証の結果を受信しなければ送信を中止し、認証の結果を受信すれば、送信装置３は、認証の結果を受信した時刻を記録し、その時刻から一定の時間帯、あるいはその時刻の前後の一定時間帯を送信有効時間帯として新規に設定する。また、一定の連続日の間、送信有効時間帯に一度も認証結果の通知を受信装置４から受信しなかった場合には、前記送信有効時間帯は解除し送信無効の時間帯に設定する。
【００１３】
送信装置３は、無線通信機能付き腕時計、無線通信機能付きカード等、携帯性の良い小型のものを用いることができる。また、送信装置３に表示機能を設け、送信有効時間帯であるときには送信有効であることを表示し、送信無効時間帯であるときには送信無効であることを表示しても良い。認証サーバ２と送信装置３に登録するＩＤデータとしては、送信装置３のユーザ固有のＩＤ、例えば暗証番号等を用いることができる。送信装置３は、認証用ＩＤデータの送信有効時間帯においては、簡潔に、例えば１秒毎に認証用ＩＤデータの送信を行っている。一方、送信有効時間帯でないときには送信は行わず、送信装置は休止状態にあるので、消費電力も最低の状態となっている。
【００１４】
このように、本実施形態によれば、送信有効時間帯にのみ送信のための電力を消費すればよいので、全体として消費電力が低くなり、電源として電気容量の小さな電池を用いることができるので、より小型で携帯性に優れたものとすることができ、あるいは電池寿命を長くすることができる。
【００１５】
また、本実施形態では、一定の連続日の間、認証合致がなかった場合には、送信有効時間帯を解除するので、ユーザの認証システム利用時間帯が変化し、ある送信有効時間帯にユーザが認証システムを利用しなくなった場合に対応が可能である。
【００１６】
また、本実施形態では、送信有効でない時間帯であっても、送信開始ボタン１０を押すことにより、ＩＤデータの送信作業を開始できるので、ユーザの認証システム利用時間帯が変化し、新たにユーザが認証システムを利用する時間帯が発生した場合にも対応が可能である。
【００１７】
図２は、送信装置としての無線通信機能付き腕時計３１のブロック図である。無線通信機能付き腕時計３１は、ＣＰＵ３３と、無線通信制御部３５、ボタンなどの入力部３９、ディスプレイ等の出力部４１が内部バスで結ばれ、無線通信制御部３５にはアンテナ４７が接続される。無線通信機能付き腕時計３１は、電源として電源４９を内蔵している。
【００１８】
ＣＰＵ３３は、認証用ＩＤデータを送信するための認証用ＩＤ送出制御部６５、認証用ＩＤデータを保持するための認証用ＩＤ記録部７１、認証用ＩＤデータの送信有効時間帯を記録するための送信有効時間帯記録部６７、認証結果を最後に受信した日時を記録するための最後受信日時記録部６８、腕時計機能のための計時部６９を備える。
【００１９】
出力装置４１は、無線通信のやり取りを表示する通信表示部７５、時計機能を表示する時計表示部７７を備える。
【００２０】
アンテナ４７は、チップ型のものを用いることができる。
【００２１】
電源４９は、ボタン電池等の単独電池のほか、太陽電池、熱発電装置、機械式発電装置等の発電装置と二次電池などの蓄電装置と組み合わせて用いることができる。
【００２２】
かかる構成の無線通信機能付き腕時計を送信装置として用いたときの、ＩＤ無線通信システムとしての作用を図３、図４のフローチャートを用いて説明する。各図のフローチャートの分岐において、「Ｙ」はＹＥＳを、「Ｎ」はＮＯの判断結果を意味する。
【００２３】
図３は、送信装置の作用のフローチャートである。Ｓ３１は、送信有効時間帯であるか否かの判断工程で、送信有効時間帯記録部６７に記録された送信有効時間帯に基づき、現在が送信有効時間帯であるか否かを判断する工程で、現在が送信有効時間帯ではないと判断したときはＳ４３の工程へ移行し、現在が送信有効時間帯であると判断したときはＳ３３の工程へ移行する。
【００２４】
Ｓ３３は、現在が送信タイミングであるかを判断する工程である。送信タイミングは時刻の秒が進むときに発生し、その間隔は１秒毎、２秒毎等、短いことが望ましい。現在が送信タイミングではないと判断したときは、Ｓ３１へ移行する。現在が送信タイミングであると判断したときは、Ｓ３５の工程へ移行する。
【００２５】
Ｓ３５は、認証用ＩＤ記録部７１に記録された認証用ＩＤデータを、ＩＤ認証装置１２へ送信する工程である。Ｓ３５の工程の後はＳ３７へ移行する。
【００２６】
Ｓ３７は、ＩＤ認証装置１２からの認証結果受信があったか否かを判断する工程である。認証結果の受信がなければＳ３９へ移行し、認証結果の受信があればＳ５５へ移行する。
【００２７】
Ｓ５５は、最後受信日時記録工程で、認証結果受信があったときに、その日時を現在の送信有効時間帯における、認証結果の最後受信日時として最後受信日時記録部６８に記録する工程である。Ｓ５５の工程の後は、Ｓ３１へ移行する。
【００２８】
Ｓ３９は、最後受信日時記録部６８に記録された、現在の送信有効時間帯における認証結果の最後受信日時と、現在日時と、を比較してＮ日間が経過したか否かを判断する工程である。Ｎ日の日数は、３日間や７日間等、ユーザがその時間帯にゲートの通過をしないと判断できる程度の日数とする。Ｎ日間が経過したと判断した場合には、Ｓ４１へ移行する。Ｎ日間が経過していないと判断した場合には、Ｓ３１へ移行する。
【００２９】
Ｓ４１は、現在の送信有効時間帯を、送信有効時間帯記録部６７から消去する工程である。Ｓ４１の工程の後はＳ３１へ移行する。
【００３０】
Ｓ４３は、送信開始ボタン１０が押されたか否かを判断する工程である。送信開始ボタン１０が押されていないならば、Ｓ３１へ移行する。送信開始ボタン１０が押されたならば、Ｓ４５へ移行する。
【００３１】
Ｓ４５は、送信開始ボタン１０が最後に押されてから、一定時間が経過したか否かを判断する工程である。前記一定時間を自起動時間と呼び、１分、２分等、ユーザがゲート６を開放するためにゲート６の前に留まる時間とする。自起動時間が経過したと判断した場合はＳ３１へ移行し、自起動時間が経過していないと判断した場合はＳ４７へ移行する。
【００３２】
Ｓ４７は、現在が送信タイミングであるかを判断する工程である。送信タイミングは時刻の秒が進むときに発生し、その間隔は１秒毎、２秒毎等、短いことが望ましい。現在が送信タイミングではないと判断したときは、Ｓ４５へ移行する。現在が送信タイミングであると判断したときは、Ｓ４９へ移行する。
【００３３】
Ｓ４９は、認証用ＩＤ記録部７１に記録された認証用ＩＤデータを、ＩＤ認証装置１２へ送信する工程である。Ｓ４９の工程の後はＳ５１へ移行する。
【００３４】
Ｓ５１は、ＩＤ認証装置１２からの認証結果受信があったか否かを判断する工程である。認証結果の受信がなければＳ４５へ移行し、認証結果の受信があればＳ５３へ移行する。
【００３５】
Ｓ５３は、ＩＤ認証装置１２からの認証の結果を受信した時刻から一定の時間帯、あるいはその時刻の前後の一定時間帯を送信有効時間帯として新規に送信有効時間帯記録部６７に記録する工程である。これら一定時間帯は、３０分や６０分など、ユーザがゲートを通過する時間の、日常的なずれを想定したものとする。また、１日の２４時間を、午前０時から３０分単位の４８区分や、午前０時から６０分単位の２４区分、といったように分割し、ＩＤ認証装置１２からの認証の結果を受信した時刻が含まれる区分を送信有効時間帯とすることもできる。Ｓ５３の工程の後はＳ５７へ移行する。
【００３６】
Ｓ５７は、最後受信日時記録工程で、認証結果受信があったときに、その日時を現在の送信有効時間帯における、認証結果の最後受信日時として最後受信日時記録部６８に記録する工程である。Ｓ５７の工程の後は、Ｓ３１へ移行する。
【００３７】
次に図４は、ＩＤ認証装置１２における、ＩＤ認証の際のフローチャートである。
【００３８】
Ｓ１１は、受信待ち工程で、受信装置４が、無線通信機能付き腕時計３１に対し、認証用ＩＤデータの送信を受信する準備が完了している旨を無線で送信する。Ｓ１１の工程の後はＳ１３へ移行する。
【００３９】
Ｓ１３は、認証用ＩＤデータ受信工程で、受信装置４が、無線通信機能付き腕時計３１から、認証用ＩＤデータを受信する工程である。無線通信機能付き腕時計３１の認証用ＩＤ送出制御部６５が、認証用ＩＤ記録部７１から、ＩＤデータを読み出し、無線通信制御部３５を介しアンテナ４７から送信し、それを受信装置４が受信する。Ｓ１３の工程の後はＳ１５へ移行する。
【００４０】
Ｓ１５は、認証サーバ向け送信工程で、受信装置４から、認証サーバ２に対し、ネットワーク１を介して、認証用ＩＤデータが送信される。Ｓ１５の工程の後はＳ１７へ移行する。
【００４１】
Ｓ１７は、認証サーバ２における認証工程である。認証サーバ２では、登録ＩＤデータベース１１を検索し、該当する登録ＩＤデータと、認証用ＩＤデータとを比較し、一致しているか否かの認証を行う。認証された場合は「一致」を、認証されなかった場合は「不一致」を受信装置４に送信する。Ｓ１７の工程の後はＳ１９へ移行する。
【００４２】
Ｓ１９は、受信装置４が、認証サーバ２から、ネットワーク１を介して、認証の結果を受信する工程である。Ｓ１９の工程の後はＳ２１へ移行する。
【００４３】
Ｓ２１は、認証の結果が「一致」か、「不一致」か、を判断する工程である。「一致」の場合にはＳ２３へ移行し、「不一致」の場合にはＳ２７へ移行する。
【００４４】
Ｓ２３は、「一致」を無線通信機能付き腕時計３１に送信する工程である。Ｓ２３の工程の後はＳ２７へ移行する。Ｓ２７は、「不一致」を無線通信機能付き腕時計３１に送信する工程である。Ｓ２７の工程の後、ＩＤ認証作業は終了する。
【００４５】
Ｓ２５は、ゲート開放の工程で、ゲート６を開閉可能の状態にする。Ｓ２５の工程の後、ＩＤ認証作業は終了する。
【００４６】
次に、本実施例における、ＩＤデータの送信有効時間帯の設定を、図５、図６、図７、図８を用いて説明する。各図の、６７ａ、６７ｂ、６７ｃ、６７ｄは送信有効時間帯記録部６７の内容を表し、６８ａ、６８ｂ、６８ｃ、６８ｄは最後受信日時記録部６８の内容を表す。送信有効時間帯記録部６７ａ、６７ｂ、６７ｃ、６７ｄは、１日の２４時間を、午前０時から３０分単位の４８区分に分割し、それぞれの区分にはＩＤ送信が無効であるか有効であるかが記録されている。前記の送信有効時間帯記録部６７ａ、６７ｂ、６７ｃ、６７ｄに対応し、最後受信日時記録部６８ａ、６８ｂ、６８ｃ、６８ｄも同様の区分に分割され、ＩＤ送信が有効である区分には、その区分の時間帯において最後にＩＤ認証装置１２からの認証の結果を受信した時刻が記録されている。図５、図６、図７、図８は２４時間の一部の時間帯を抜粋したものを表している。
【００４７】
図５において、送信有効時間帯記録部６７ａによれば、送信有効時間帯は１８：３０から１９：００の区分であり、この区分の最後受信日時は、最後受信日時記録部６８ａによれば、１月１０日１８：３８と記録されている。最後受信日時には年と秒も記録しても良い。ＩＤ送信装置３は、時刻が１８：３０から１９：００では、図３のＳ３１の工程で、送信有効時間時間帯であると判断するので、ＩＤ認証装置１２に対してＩＤデータを送信する。ここで、図５における日時を１月１１日１８：４０とすると、ＩＤ認証装置１２からの認証の結果を受信した日時が、最後受信日時記録部６８ａの１８：３０から１９：００の区分に記録されている日時よりも新しいので、これを更新する。その状態が図６に示されている。
【００４８】
図７は、図６の状態から、初めてのＩＤ認証が、１月１８日１８：２５に実行された場合の、送信有効時間帯記録部６７ｃと最後受信日時記録部６８ｃの状態を表した図である。図６の状態では、送信有効時間帯記録部６７ｂによれば、１８：００から１８：３０の区分の時間帯は、送信有効時間帯はないので、このＩＤ認証は送信開始ボタン１０を押すことにより実行されるものである。ＩＤ送信装置３は、ＩＤ認証装置１２からの認証の結果を受信し、送信有効時間帯記録部６７ｃの１８：００から１８：３０の区分に送信有効である旨を記録し、最後受信日時記録部６８ｃの１８：００から１８：３０の区分に現在日時である１月１８日１８：２５を記録する。
【００４９】
図８は、図７の状態の後、日時が１月１８日１８：４０を過ぎた場合の、送信有効時間帯記録部６７ｄと最後受信日時記録部６８ｄの状態を表した図である。本実施例では、連続した７日間、ＩＤ送信装置３がＩＤ認証装置１２からの認証の結果を受信しなかった時間帯の区分は送信有効時間帯を送信無効時間帯にするものとする。図７の送信有効時間帯記録部６７ｃによれば、１８：３０から１９：００の区分の時間帯は送信有効時間帯で、最後受信日時は、最後受信日時記録部６８ｃによれば、１月１１日１８：４０であった。図８の状態に至るまで、１８：３０から１９：００の区分の時間帯に、ＩＤ送信装置３がＩＤ認証装置１２からの認証の結果を１度も受信しなかったとする。その場合、図３のＳ３９の工程において受信記録が７日間無かったと判断し、図８のごとく、送信有効時間帯記録部６７ｄの１８：３０から１９：００の区分に送信無効の時間帯である旨を記録し、最後受信日時記録部６８ｄの１８：３０から１９：００の区分にはデータ無しとする。
【００５０】
このように、ユーザが、通常１８：３０から１９：００の時間帯にＩＤ認証を実行していたのが、１８：００から１８：３０の時間帯にＩＤ認証の実行を通常とするように変化した場合にも、ＩＤ送信装置は、ＩＤデータを送信する時間帯を容易に変更することが可能である。
【００５１】
上記の図５から図８の実施例では、１８：３０から１９：００の送信有効時間帯を送信無効時間帯に設定するのに、受信記録が７日間無かったことを判断して実行したが、送信装置３上に送信開始ボタン１０の他に操作ボタンを設け、該操作ボタンを押すことで前記送信有効時間帯を送信無効時間帯に設定しても良い。
【００５２】
また、段落［００５１］では、前記送信有効時間帯を送信無効時間帯に設定するのに、送信開始ボタン１０とは別に操作ボタンを設けたが、前記送信有効時間帯であるときに、送信開始ボタン１０を押すことで前記送信有効時間帯を送信無効時間帯に設定しても良い。
【００５３】
【発明の効果】
以上説明したごとく本発明に係るＩＤ送信装置は、送信有効時間帯でないときには送信は行わず、ＩＤ送信装置は休止状態にあるので、消費電力の小さなＩＤ送信装置およびＩＤ送信装置を備えた認証システムを提供する事ができる。
【図面の簡単な説明】
【図１】本発明の実施の形態に係るＩＤ認証システムを示す図である。
【図２】本発明の実施の形態に係る無線通信機能付き腕時計のブロック図である。
【図３】本発明の実施の形態に係るＩＤ送信装置の動作のフローチャートである。
【図４】本発明の実施の形態に係るＩＤ認証装置の動作のフローチャートである。
【図５】本発明の実施の形態に係るＩＤデータの送信有効時間帯の設定おける送信有効時間帯記録部と最後受信日時記録部の状態を示す図である。
【図６】本発明の実施の形態に係るＩＤデータの送信有効時間帯の設定おける送信有効時間帯記録部と最後受信日時記録部の状態を示す図である。
【図７】本発明の実施の形態に係るＩＤデータの送信有効時間帯の設定おける送信有効時間帯記録部と最後受信日時記録部の状態を示す図である。
【図８】本発明の実施の形態に係るＩＤデータの送信有効時間帯の設定おける送信有効時間帯記録部と最後受信日時記録部の状態を示す図である。
【符号の説明】
１  ネットワーク
２  認証サーバ
３  送信装置
４  受信装置
５  建物
６  ゲート
７、８  アンテナ
９  ＩＤデータ
１０  送信開始ボタン
１１  登録ＩＤデータベース
１２  ＩＤ認証装置
３１  無線通信機能付き腕時計
３３  ＣＰＵ
３５  無線通信制御部
３９  入力部
４１  出力部
４９  電源
６５  認証用ＩＤ送出制御部
６７a、６７b、６７c、６７d  送信有効時間帯記録部
６８a、６８b、６８c、６８d  最後受信日時記録部
６９  計時部
７１  認証用ＩＤ記録部
７５  通信表示部
７７  時計表示部
【図１】
0004136379.tif 000002
【図２】
0004136379.tif 000003
【図３】
0004136379.tif 000004
【図４】
0004136379.tif 000005
【図５】
0004136379.tif 000006
【図６】
0004136379.tif 000007
【図７】
0004136379.tif 000008
【図８】
0004136379.tif 000009